(57)【要約】【課題】親検体が収容されている検体容器の識別番号を子検体が収容される検体容器に確実に付加することができる分注支援ラックを提供する。【解決手段】親検体識別番号を有する親検体用検体容器１０及び子検体識別番号を有する子検体用検体容器１２，１４を収容する分注支援ラック２は、親検体用検体容器１０の親検体識別番号を取得し、取得した前記親検体識別番号を表示部１６に表示する。また、取得した前記親検体識別番号を子検体用検体容器１２，１４に備えられているＩＣタグに書き込む。また、子検体用検体容器１２，１４の子検体識別番号を取得し、取得した子検体識別番号を親検体用検体容器１０に備えられているＩＣタグに書き込む。また、分注後における親検体用検体容器１０に残存する親検体の残量を入力し書き込む。【選択図】  図１
2005017177.tif 000002
【特許請求の範囲】
【請求項１】
親検体識別番号を有する親検体用検体容器及び子検体識別番号を有する少なくとも１つの子検体用検体容器を収容する分注支援ラックであって、
前記親検体用検体容器の前記親検体識別番号を取得する親検体番号取得手段と、
前記親検体番号取得手段により取得した前記親検体識別番号を前記子検体用検体容器に備えられている第１のＩＣタグに書き込む親検体番号書込手段と
を備えることを特徴とする分注支援ラック。
【請求項２】
前記親検体用検体容器は、前記親検体識別番号を記憶する第２のＩＣタグを備え、
前記親検体番号取得手段は、前記第２のＩＣタグから前記親検体識別番号を読み取る親検体番号読取手段を備えることを特徴とする請求項１記載の分注支援ラック。
【請求項３】
前記親検体用検体容器は、前記親検体識別番号を有するバーコードを備え、
前記親検体番号取得手段は、前記バーコードから前記親検体識別番号を読み取る親検体番号読取手段を備えることを特徴とする請求項１記載の分注支援ラック。
【請求項４】
前記親検体番号取得手段により取得した前記親検体識別番号を表示する親検体番号表示手段を更に備えることを特徴とする請求項１〜請求項３の何れか一項に記載の分注支援ラック。
【請求項５】
前記子検体識別番号を記憶する前記第１のＩＣタグから前記子検体識別番号を読み取る子検体番号読取手段と、
前記子検体番号読取手段により読み取った前記子検体識別番号を前記親検体用検体容器に備えられている前記第２のＩＣタグに書き込む子検体番号書込手段とを備えることを特徴とする請求項２または請求項４記載の分注支援ラック。
【請求項６】
前記親検体用検体容器に収容されている親検体を前記子検体用検体容器に分注した後に、前記親検体用検体容器に残存する前記親検体の残量を入力する残検体量入力手段を備え、
前記子検体番号書込手段は、前記残検体量入力手段により入力された前記親検体の残量を更に書き込むことを特徴とする請求項５記載の分注支援ラック。
【請求項７】
前記親検体番号取得手段により取得した親検体識別番号に基づいて、上位システムから前記親検体の検査依頼情報に基づく分注情報を取得する分注情報取得手段と、
前記分注情報取得手段により取得した前記分注情報を表示する分注情報表示手段と
を備えることを特徴とする請求項１〜請求項６の何れか一項に記載の分注支援ラック。
【請求項８】
前記分注情報に含まれる子検体の検査が行なわれる検査室の情報を前記第１のタグ及び前記第２のタグの少なくとも一方に書き込む検査室情報書込手段を備えることを特徴とする請求項７記載の分注支援ラック。
【請求項９】
請求項１〜請求項８の何れか一項に記載の分注支援ラックと、親検体の検査依頼情報を有する上位システムとを備える分注支援システムであって、
前記分注支援ラックは、分注後における前記親検体の残量を前記上位システムに送信する残検体量送信手段を備え、
前記上位システムは、前記残検体量送信手段により送信された前記親検体の残量を前記親識別番号に対応させて記憶する第１の記憶手段を備えることを特徴とする分注支援システム。
【請求項１０】
前記分注支援ラックは、前記子検体識別番号を前記上位システムに送信する子検体番号送信手段を備え、
前記上位システムは、前記子検体番号送信手段により送信された前記子検体識別番号を前記親検体識別番号に対応させて記憶する第２の記憶手段を備えることを特徴とする請求項９記載の分注支援システム。
【発明の詳細な説明】
【０００１】
【発明の属する技術分野】
この発明は、血液、血漿、血清等の検体の分注を支援するための分注支援ラック及び該分注支援ラックを備えた分注支援システムに関するものである。
【０００２】
【従来の技術】
従来、検査に用いる血液、血漿、血清等の検体は、医療機関等において採取され、試験管等により構成される検体容器に収容されて検査機関に搬送される。検査機関においては、搬入された検体について受付処理を行った後に、検体を保管し依頼された検査を行っている。即ち、受付処理、例えば、検査機関に搬入された検体を収容した検体容器に、検体を識別するための検体番号、受付日等を含む検体情報を記載したラベルを貼り付ける等の処理を行い（例えば、特許文献１参照）、検体を保管している。また、受付処理が行われ保管されている検体の検査は、検体と共に医療機関から搬入された検査依頼書の記載内容に基づいて行われる。
【０００３】
【特許文献１】
特開平８−２８５８５５号公報
【０００４】
【発明が解決しようとする課題】
検体の検査が指示された場合には、検体指示情報に基づいて、必要な検体（親検体）が検体ラックから抜き取られ、分注が行われ、分注された検体（子検体）を用いて検査が行われる。この場合において、親検体と子検体を関連付ける（紐付ける）ために、親検体の識別番号または検体情報が記載されたラベルを子検体が収容される検体容器に貼り付ける等する必要があり、多大な労力を要していた。また、検査を行う際には、ラベルに記載された識別情報に基づいて検体を識別しているため、ラベルの読み間違いによる検体の取り違えが発生する可能性がある。更に、分注された検体を収容した検体容器に誤ったラベルを貼り付けてしまう等により、検体の取り違えが発生する可能性もある。
【０００５】
この発明の課題は、親検体が収容されている検体容器の識別番号を子検体が収容される検体容器に確実に付加することができる分注支援ラック及び該分注支援ラックを備えた分注支援システムを提供することである。
【０００６】
【課題を解決するための手段】
請求項１記載の分注支援ラックは、親検体識別番号を有する親検体用検体容器及び子検体識別番号を有する少なくとも１つの子検体用検体容器を収容する分注支援ラックであって、前記親検体用検体容器の前記親検体識別番号を取得する親検体番号取得手段と、前記親検体番号取得手段により取得した前記親検体識別番号を前記子検体用検体容器に備えられている第１のＩＣタグに書き込む親検体番号書込手段とを備えることを特徴とする。
【０００７】
この請求項１記載の分注支援ラックによれば、親検体用検体容器と子検体用検体容器とを１つのラックに収容した状態で親検体用検体容器の親検体識別番号を子検体用検体容器に備えられている第１のＩＣタグに書き込むことができるため、親検体識別番号を子検体が収容されている子検体用検体容器に確実に付加することができる。従って、親検体識別番号を誤った子検体用検体容器に付加することを防止することができる。
【０００８】
また、請求項２記載の分注支援ラックは、前記親検体用検体容器が前記親検体識別番号を記憶する第２のＩＣタグを備え、前記親検体番号取得手段が前記第２のＩＣタグから前記親検体識別番号を読み取る親検体番号読取手段を備えることを特徴とする。
【０００９】
この請求項２記載の分注支援ラックによれば、親検体用検体容器が第２のＩＣタグを備えているため、第２のＩＣタグに記憶されている親検体識別番号を読取り、この読み取った親検体識別番号を子検体用検体容器に備えられている第１のＩＣタグに確実に書き込むことができる。
【００１０】
また、請求項３記載の分注支援ラックは、前記親検体用検体容器が前記親検体識別番号を有するバーコードを備え、前記親検体番号取得手段が前記バーコードから前記親検体識別番号を読み取る親検体番号読取手段を備えることを特徴とする。
【００１１】
この請求項３記載の分注支援ラックによれば、親検体用検体容器が親検体識別番号を有するバーコードを備えているため、バーコードから親検体識別番号を読み取り、この読み取った親検体識別番号を子検体用検体容器に備えられている第２のＩＣタグに確実に書き込むことができる。
【００１２】
また、請求項４記載の分注支援ラックは、前記親検体番号取得手段により取得した前記親検体識別番号を表示する親検体番号表示手段を更に備えることを特徴とする。
【００１３】
この請求項４記載の分注支援ラックによれば、親検体用検体容器の親検体識別番号を表示することができるため、検体の分注を行う場合に、親検体識別番号により親検体を確実かつ容易に確認することができる。
【００１４】
また、請求項５記載の分注支援ラックは、前記子検体識別番号を記憶する前記第１のＩＣタグから前記子検体識別番号を読み取る子検体番号読取手段と、前記子検体番号読取手段により読み取った前記子検体識別番号を前記親検体用検体容器に備えられている前記第２のＩＣタグに書き込む子検体番号書込手段とを備えることを特徴とする。
【００１５】
この請求項５記載の分注支援ラックによれば、子検体用検体容器に備えられている第１のＩＣタグに記憶されている子検体識別番号を親検体用検体容器に備えられている第２のＩＣタグに書き込むことができるため、子検体識別番号を親検体用検体容器に確実に付加することができる。従って、親検体用検体容器に備えられている第２のＩＣタグに記憶されている子検体識別番号を参照することにより、分注された子検体を容易に確認することができる。
【００１６】
また、請求項６記載の分注支援ラックは、前記親検体用検体容器に収容されている親検体を前記子検体用検体容器に分注した後に、前記親検体用検体容器に残存する前記親検体の残量を入力する残検体量入力手段を備え、前記子検体番号書込手段は、前記残検体量入力手段により入力された前記親検体の残量を更に書き込むことを特徴とする。
【００１７】
この請求項６記載の分注支援ラックによれば、分注後における親検体用検体容器に残存する親検体の残量を親検体用検体容器に備えられている第２のＩＣタグに確実に書き込むことができる。また、親検体用検体容器に備えられている第２のＩＣタグに記憶されている親検体の残量を参照することにより、検体の再検査または新たな検査等を行う必要が生じた場合に、患者から再度採血する必要があるか否か把握することができ、再度採血する必要がない場合には、再検査または新たな検査を迅速に実施することができる。
【００１８】
また、請求項７記載の分注支援ラックは、前記親検体番号取得手段により取得した親検体識別番号に基づいて、上位システムから前記親検体の検査依頼情報に基づく分注情報を取得する分注情報取得手段と、前記分注情報取得手段により取得した前記分注情報を表示する分注情報表示手段とを備えることを特徴とする。
【００１９】
この請求項７記載の分注支援ラックによれば、上位システムから取得した親検体の検査依頼情報に基づく分注情報を表示することができるため、この表示された親検体の分注情報を参照することにより、確実かつ容易に親検体の分注を行うことができる。
【００２０】
また、請求項８記載の分注支援ラックは、前記分注情報に含まれる子検体の検査が行なわれる検査室の情報を前記第１のタグ及び前記第２のタグの少なくとも一方に書き込む検査室情報書込手段を備えることを特徴とする。
【００２１】
この請求項８記載の分注支援ラックによれば、親検体用検体容器に備えられている第２のＩＣタグに子検体の検査が行われる検査室の情報を確実に付加することができる。従って、子検体用検体容器に付加された検査室の情報を参照することにより、子検体が収容されている子検体用検体容器が誤った検査室に搬入されることを防止することができる。
【００２２】
また、請求項９記載の分注支援システムは、請求項１〜請求項８の何れか一項に記載の分注支援ラックと、親検体の検査依頼情報を有する上位システムとを備える分注支援システムであって、前記分注支援ラックが分注後における前記親検体の残量を前記上位システムに送信する残検体量送信手段を備え、前記上位システムが前記残検体量送信手段により送信された前記親検体の残量を前記親識別番号に対応させて記憶する第１の記憶手段を備えることを特徴とする。
【００２３】
この請求項９記載の分注支援システムによれば、親検体用検体容器の親検体識別番号を子検体用検体容器に備えられている第１のＩＣタグに書き込むことができる分注支援ラックを備えているため、親検体識別番号を子検体が収容されている子検体用検体容器に確実に付加することができる。また、分注後における親検体用検体容器に残存する親検体の残量を上位システムに送信することから上位システムにおいて親検体の残量を管理することができる。従って、上位システムに記憶されている親検体の残量を参照することにより、検体の再検査または新たな検査等を行う必要が生じた場合に、患者から再度採血する必要があるか否かを容易に把握することができ、再度採血が必要でない場合には、再検査または新たな検査を迅速に実施することができる。
【００２４】
また、請求項１０記載の分注支援システムは、前記分注支援ラックが前記子検体識別番号を前記上位システムに送信する子検体番号送信手段を備え、前記上位システムが前記子検体番号送信手段により送信された前記子検体識別番号を前記親検体識別番号に対応させて記憶する第２の記憶手段を備えることを特徴とする。
【００２５】
この請求項１０記載の分注支援システムによれば、親検体用検体容器の親検体識別番号を子検体用検体容器に備えられている第１のＩＣタグに書き込むことができる分注支援ラックを備えているため、親検体識別番号を子検体が収容されている子検体用検体容器に確実に付加することができる。また、子検体用検体容器の子検体識別番号を上位システムに送信するため、親検体識別番号に子検体識別番号を関連付け（紐付け）た状態で管理することができる。
【００２６】
【発明の実施の形態】
以下、図面を参照して、この発明の実施の形態について説明する。図１はこの発明の実施の形態にかかる分注支援ラックの外観図である。分注支援ラック２は、片手で保持可能な直方体の形状を有し、上壁部に検体容器を差し込むための３つの検体容器差込部４，６，８を備えている。検体容器差込部４は、分注支援ラック２の上壁左側に設けられており、親検体を収容する親検体用試験管（親検体用検体容器）１０を収容する。また、検体容器差込部６は、分注支援ラック２の上壁中央に設けられており、子検体を収容する子検体用試験管（子検体用検体容器）１２を収容する。また、検体容器差込部８は、分注支援ラック２の上壁右側に設けられており、子検体を収容する子検体用試験管（子検体用検体容器）１４を収容する。
【００２７】
また、分注支援ラック２の前壁右側上部には、検体識別番号及び分注情報等を表示する表示部１６が備えられている。また、分注支援ラック２の前壁略中央には、上からエンターボタン１８、ロードボタン２０、イレーズボタン２２が備えられている。更に、分注支援ラック２の前壁右側下部、即ち、表示部１６の下部には、分注後における親検体の残量入力等を行うためのテンキー２４が備えられている。
【００２８】
図２は、この発明の実施の形態にかかる分注支援ラック２の構成図である。分注支援ラック２の検体容器差込部４に収容されている親検体用試験管１０には親検体識別番号が記憶されているＩＣタグ（第２のＩＣタグ）２６、検体容器差込部６に収容されている子検体用試験管１２には子検体識別番号が記憶されているＩＣタグ（第１のＩＣタグ）２８、検体容器差込部８に収容されている子検体用試験管１４には子検体識別番号が記憶されているＩＣタグ（第１のＩＣタグ）３０が収容されている。ここで、ＩＣタグ２６，２８，３０には、非接触で情報の読み取り及び書込みが可能なもの、例えば、ＲＦＩＤ（Ｒａｄｉｏ  Ｆｒｅｑｕｅｎｃｙ  Ｉｄｅｎｉｆｉｃａｔｉｏｎ）タグ等が用いられる。
【００２９】
ＩＣタグ２６，２８，３０には、例えば、通信距離が最大でも数ｍｍ程度の静電結合方式のもの又は通信距離画最大でも数ｃｍ程度の電磁誘導方式のものが用いられる。従って、ＩＣタグ２６は、後述するアンテナ３４に対してのみ情報送受信を行い、後述するアンテナ３６，３８に対して情報送受信を行うことはない。同様に、ＩＣタグ２８は、アンテナ３６に対してのみ情報送受信を行い、アンテナ３４，３８に対して情報送受信を行うことはない。同様に、ＩＣタグ３０は、アンテナ３８に対してのみ情報送受信を行い、アンテナ３４，３６に対して情報送受信を行うことはない。また、ＩＣタグ２６，２８，３０は、フィルム状、極薄い形状のものであって、収容される検体の性状に影響を与えない素材、例えば、ポリエステル、ポリエチレン、ポリプロピレン、ＰＥＴ（ｐｏｌｙｅｔｈｙｌｅｎｅ  ｔｅｒｅｐｈｔｈａｌａｔｅ）等の素材によりコーティングされている。
【００３０】
また、分注支援ラック２には、ＩＣタグ２６に記憶されている親検体識別番号、ＩＣタグ２８，３０に記憶されている子検体識別番号等の読込、検体に関する情報の書込を行う読込書込装置３２が備えられている。また、分注支援ラック２には、検体容器差込部４の近傍にアンテナ３４、検体容器差込部６の近傍にアンテナ３６、検体容器差込部８の近傍にアンテナ３８が備えられている。アンテナ３４は、ＩＣタグ２６に記憶されている親検体識別番号を受信し、読込書込装置３２に対して送信する。また、ＩＣタグ２８，３０に記憶されている子検体識別番号を読込書込装置３２から受信し、ＩＣタグ２６に対して送信する。同様に、アンテナ３６は、ＩＣタグ２８に記憶されている子検体識別番号を受信し、読込書込装置３２に対して送信する。また、ＩＣタグ２６に記憶されている親検体識別番号またはＩＣタグ３０に記憶されている子検体識別番号を読込書込装置３２から受信し、ＩＣタグ２８に対して送信する。また同様に、アンテナ３８は、ＩＣタグ３０に記憶されている子検体識別番号を受信し、読込書込装置３２に対して送信する。また、ＩＣタグ２６に記憶されている親検体識別番号またはＩＣタグ２８に記憶されている子検体識別番号を読込書込装置３２から受信し、ＩＣタグ３０に対して送信する。
【００３１】
図３は、この発明の実施の形態にかかる分注支援システム全体のブロック構成図である。分注支援システムは、この分注支援システムの制御を行なう制御部４０を備えている。制御部４０には、表示部１６、エンターボタン１８、ロードボタン２０、イレーズボタン２２、テンキー２４が接続されている。また、制御部４０には、分注情報を含む検査依頼情報を記憶する上位システム４２が接続されている。また、制御部４０には、ＩＣタグ２６に記憶されている親検体識別番号の読込みまたは他のＩＣタグ２８，３０へ書込みを行う読込書込装置３２を介してアンテナ３４が接続されている。同様に、ＩＣタグ２８に記憶されている子検体識別番号の読込みまたは他のＩＣタグ２６，３０へ書込みを行う読込書込装置３２を介してアンテナ３６に接続されている。また同様に、ＩＣタグ３０に記憶されている子検体識別番号の読込みまたは他のＩＣタグ２６，２８へ書込みを行う読込書込装置３２を介してアンテナ３８に接続されている。
【００３２】
次に、図４のフローチャートを参照して実施の形態にかかる分注支援システムの処理について説明する。
【００３３】
まず、作業員は、分注支援ラック２の親検体用検体容器差込部４に親検体が収容されている親検体用試験管１０を差込む。同様に、分注支援ラック２の子検体用検体容器差込部６に子検体用試験管１２を差し込み、子検体用検体容器差込部８に子検体用試験管１４を差込む。
【００３４】
次に、ロードボタン２０の押下によりコマンド信号を取得した場合において（ステップＳ１０）、制御部４０は、親検体を収容している親検体用試験管１０に収容されているＩＣタグ２６に記憶されている親検体識別番号を、アンテナ３４を介して読込書込装置３２より取得する（ステップＳ１１）。次に、制御部４０は、ステップＳ１１において取得した親検体識別番号に基づいて、上位システム４２より親検体用試験管１０に収容されている親検体の検査依頼情報を取得する（ステップＳ１２）。次に、制御部４０は、ステップＳ１１において取得した親検体識別番号、ステップＳ１２において取得した親検体用試験管１０に収容されている親検体の検査依頼情報に基づく分注情報を表示部１６に表示する（ステップＳ１３）。
【００３５】
図５は、ステップＳ１３において表示部１６に親検体識別番号及び分注情報が表示された状態を示す図である。ここで、分注情報には、子検体の必要本数、それぞれの子検体に必要な検体量、それぞれの子検体の検査が行われる検査室の情報が含まれる。なお、表示部１６には、親検体識別番号として「ＩＤ０」、子検体として子検体１、子検体２が必要であり、子検体１の検体量が５ｍｌ、検査は検査室１で行われ、子検体２の検体量が３ｍｌ、検査は検査室２で行われることが表示されている。
【００３６】
次に、作業員は、表示部１６に表示されている親検体の分注情報に従って、検体を親検体が収容されている親検体用試験管１０から子検体用試験管１２，１４に分注する。
【００３７】
次に、図５に示すように、表示部１６下方に「親ＩＤ書込？」の表示がされている状態で、作業員がエンターボタン１８を押下した場合には（ステップＳ１４）、制御部４０は、親検体識別番号の書込みを指示する信号を取得し、ステップＳ１１において取得した親検体識別番号をアンテナ３６を介して子検体用試験管１２に備えられているＩＣタグ２８に書き込む。同様に、ステップＳ１１において取得した親検体識別番号をアンテナ３８を介して子検体用試験管１４に備えられているＩＣタグ３０に書き込む（ステップＳ１５）。即ち、図６に示すように、ＩＣタグ２６に記憶されている親検体識別番号ＩＤ０を読込書込装置３２を介してＩＣタグ２８、３０に書き込むことにより、ＩＣタグ２８には自身の識別番号である子検体識別番号ＩＤ１及び親検体識別番号ＩＤ０が記憶され、ＩＣタグ３０には自身の識別番号である子検体識別番号ＩＤ２及び親検体識別番号ＩＤ０が記憶される。
【００３８】
次に、図７に示すように、表示部１６下方に「子ＩＤ書込？」の表示がされている状態で、作業員がエンターボタン１８を押下した場合には（ステップＳ１６）、制御部４０は、子検体識別番号の書込みを指示する信号を取得し、ＩＣタグ２８に記憶されている子検体識別番号をＩＣタグ２８よりアンテナ３６を介して読込書込装置３２から取得する。同様に、ＩＣタグ３０に記憶されている子検体識別番号をＩＣタグ３０よりアンテナ３８を介して読込書込装置３２から取得する。次に、取得した子検体識別番号ＩＤ１を読込書込装置３２を介して親検体用試験管１０に備えられているＩＣタグ２６及び子検体用試験管１４に備えられているＩＣタグ３０に書き込み、取得した子検体識別番号ＩＤ２を読込書込装置３２を介して親検体用試験管１０に備えられているＩＣタグ２６及び子検体用試験管１２に備えられているＩＣタグ２８に書き込む（ステップＳ１７）。即ち、図８に示すように、ＩＣタグ２６には、自身の識別番号である親検体識別番号ＩＤ０、子検体識別番号ＩＤ１及び子検体識別番号ＩＤ２が記憶される。同様に、ＩＣタグ２８には自身の識別番号である子検体識別番号ＩＤ１、親検体識別番号ＩＤ０及び子検体識別番号ＩＤ２が記憶され、ＩＣタグ３０には自身の識別番号である子検体識別番号ＩＤ２、親検体識別番号ＩＤ０及び子検体識別番号ＩＤ１が記憶される。
【００３９】
次に、制御部４０は、ＩＣタグ２８に記憶されている子検体用試験管１２の子検体識別番号ＩＤ１及びＩＣタグ３０に記憶されている子検体用試験管１４の子検体識別番号ＩＤ２を上位システム４２に送信する。上位システム４２は、送信された子検体識別番号ＩＤ１及びＩＤ２をＩＣタグ２６に記憶されている親検体用試験管１０の親検体識別番号ＩＤ０に対応させて記憶する（ステップＳ１８）。
【００４０】
次に、ステップＳ１７において取得した子検体識別番号ＩＤ１及びＩＤ２を表示部１６に表示する。即ち、図９に示すように、表示部１６には、親検体識別番号ＩＤ０、子検体識別番号ＩＤ１、子検体識別番号ＩＤ１に対応する分注情報、子検体識別番号ＩＤ２、子検体識別番号ＩＤ２に対応する分注情報が表示される。
【００４１】
次に、図９に示すように、表示部１６下方に「残検体入力？」が表示されている状態で、作業員がテンキー２４の押下により分注後における親検体用試験管１０に残存している親検体の残量を入力しエンターボタン１８を押下すると（ステップＳ１９）、制御部４０は、親検体の残量の書込みを指示する信号を取得し、ステップＳ１９において入力された親検体の残量を読込書込装置３２からアンテナ３４を介して、親検体用試験管１０に備えられているＩＣタグ２６に書き込む（ステップＳ２０）。次に、制御部４０は、ステップＳ１９において入力された親検体の残量を上位システム４２に送信する。上位システム４２は、送信された親検体の残量をＩＣタグ２６に記憶されている親検体用試験管１０の親検体識別番号ＩＤ０に対応させて記憶する（ステップＳ２１）。
【００４２】
この実施の形態にかかる分注支援ラックによれば、片手で保持可能な小型の形状で構成されているため、場所を問わず分注することができる。
【００４３】
また、この実施の形態にかかる分注支援システムによれば、親検体用試験管と子検体用試験管とを１つのラックに収容した状態で親検体用試験管に備えられているＩＣタグに記憶されている親検体識別番号を子検体用試験管に収容されているＩＣタグに書き込むことができるため、親検体識別番号を子検体用試験管の子検体識別番号が記憶されているＩＣタグに確実に付加することができる。従って、親検体識別番号を誤った子検体用試験管に付加することを防止することができる。
【００４４】
また、親検体識別番号及び親検体の検査依頼情報に基づく分注情報を表示部に表示することができるため、検体の分注を行う場合に、親検体識別番号を確実かつ容易に確認することができ、この表示された親検体の分注情報を参照することにより確実かつ容易に検体の分注を行なうことができる。
【００４５】
また、子検体用試験管に備えられているＩＣタグに記憶されている子検体識別番号を親検体用試験管に備えられているＩＣタグに書き込むことができるため、親検体用試験管に備えられているＩＣタグに記憶されている子検体識別番号を参照することにより分注された子検体を容易に確認することができる。
【００４６】
また、親検体の検査依頼情報を記憶している上位システムに子検体識別番号を送信し、親検体識別番号と対応させて記憶させることができるため、親検体識別番号、子検体識別番号及び上位システムに記憶される親検体の検査依頼情報の関連付け（紐付け）を確実に行なうことができる。
【００４７】
また、分注後における親検体用試験管に残存する親検体の残量を親検体用試験管に備えられているＩＣタグ及び上位システムに記憶させることができるため、親検体用試験管に備えられているＩＣタグまたは上位システムに記憶されている親検体の残量を参照することにより、検体の再検査または新たな検査等を行う必要が生じた場合に、患者から再度採血する必要があるか否かを容易に把握することができ、再度採血が必要でない場合には、再検査または新たな検査を迅速に実施することができる。
【００４８】
なお、この実施の形態にかかる分注支援システムにおいては、３つの検体容器差込部を設けているが、１つの親検体容器差込部及び１つ以上の子検体容器差込部を備えていればよい。
【００４９】
また、この実施の形態にかかる分注支援システムにおいては、親検体用識別番号を記憶することができるＩＣタグを用いているが、図１０に示すように、親検体用試験管１０が親検体識別番号を有するバーコード５０を備えるようにしてもよい。この場合においては、親検体識別番号を読み込むためにバーコードリーダー５２を検体容器差込部４の近傍に設け、バーコードリーダー５２を介して読込書込装置３２によりバーコード５０に記録されている親検体識別番号を読み込む。読み込んだ親検体識別番号は、読込書込装置３２からアンテナ３６を介してＩＣタグ２８に書き込まれる。同様に、読み込んだ親検体識別番号は、読込書込装置３２からアンテナ３８を介してＩＣタグ３０に書き込まれる。
【００５０】
また、この実施の形態にかかる分注支援システムにおいては、上位システムに記憶されている分注情報に含まれる子検体の検査が行われる検査室の情報を子検体用試験管に備えられているＩＣタグに書き込んでもよい。即ち、制御部４０は、ステップＳ１５においてＩＣタグ２６に記憶されている親検体識別番号をＩＣタグ２８に書き込む際に、ステップＳ１２において取得した親検体の分注情報に含まれている子検体用試験管１２に収容される子検体の検査が行われる検査室の情報をＩＣタグ２８に書き込む。同様に、ステップＳ１５においてＩＣタグ２６に記憶されている親検体識別番号をＩＣタグ３０に書き込む際に、ステップＳ１２において取得した親検体の分注情報に含まれている子検体用試験管１４に収容される子検体の検査が行われる検査室の情報をＩＣタグ３０に書き込む。この場合においては、子検体の検査が行われる検査室の情報を子検体が収容される子検体用試験管に確実に付加することができる。従って、子検体が収容されている子検体用試験管１２，１４に備えられているＩＣタグ２８，３０に記憶されている情報を参照することにより、子検体の検査が行われる検査室の情報を容易に得ることができ、子検体が収容されている子検体用試験管が誤った検査室に搬入されることを防止することができる。
【００５１】
また、この実施の形態にかかる分注支援システムにおいては、親検体の検査依頼情報を上位システムに記憶させているが、親検体用ＩＣタグに親検体の検査依頼情報を付加させてもよい。即ち、検査機関に搬入される前または作業員により分注支援ラックに親検体用試験管が差し込まれる前に、親検体用試験管に備えられているＩＣタグに親検体の検査依頼情報を予め記憶させてもよい。
【００５２】
また、この実施の形態にかかる分注支援システムにおいては、分注後における親検体の残量をテンキー２４により入力する場合に、イレーズボタン２２を押下することにより入力ミスを修正することができる。即ち、制御部４０は、イレーズボタン２２の押下によりイレーズ信号を受信した場合には、テンキー２４の押下により入力された入力データを削除する。
【００５３】
【発明の効果】
この発明の分注支援ラックによれば、親検体用検体容器と子検体用検体容器とを１つのラックに収容した状態で親検体用検体容器の親検体識別番号を子検体用検体容器に備えられている第１のＩＣタグに書き込むことができるため、親検体識別番号を子検体が収容されている子検体用検体容器に確実に付加することができる。従って、親検体識別番号を誤った子検体用検体容器に付加することを防止することができる。
【００５４】
また、この発明の分注支援システムによれば、親検体用検体容器の親検体識別番号を子検体用検体容器に備えられている第１のＩＣタグに書き込むことができる分注支援ラックを備えているため、親検体識別番号を子検体が収容されている子検体用検体容器に確実に付加することができる。また、分注後における親検体用検体容器に残存する親検体の残量を上位システムに送信することから上位システムにおいて親検体の残量を管理することができる。従って、上位システムに記憶されている親検体の残量を参照することにより、検体の再検査または新たな検査等を行う必要が生じた場合に、患者から再度採血する必要があるか否かを容易に把握することができ、再度採血が必要でない場合には、再検査または新たな検査を迅速に実施することができる。
【図面の簡単な説明】
【図１】この発明の実施の形態にかかる分注支援ラックの外観を示す図である。
【図２】この発明の実施の形態にかかる分注支援ラックの構成を示す図である。
【図３】この発明の実施の形態にかかる分注支援システムのシステム構成を示すブロック図である。
【図４】この発明の実施の形態にかかる分注支援システムの処理を示すフローチャートである。
【図５】この発明の実施の形態にかかる分注支援ラックの表示部の表示の一例を示す図である。
【図６】この発明の実施の形態にかかる分注支援システムの識別番号書込みの説明をするための図である。
【図７】この発明の実施の形態にかかる分注支援ラックの表示部の表示の一例を示す図である。
【図８】この発明の実施の形態にかかる分注支援システムの識別番号書込みの説明をするための図である。
【図９】この発明の実施の形態にかかる分注支援ラックの表示部の表示の一例を示す図である。
【図１０】この発明の実施の形態にかかる分注支援ラックの他の構成を示す図である。
【符号の説明】
２…分注支援ラック、４，６，８…検体容器差込部、１０…親検体用試験管，１２，１４…子検体用試験管、１６…表示部、１８…エンターボタン、２０…ロードボタン、２２…イレーズボタン、２４…テンキー、２６，２８，３０…ＩＣタグ、３２…読込書込装置、３４，３６，３８…アンテナ、４０…制御部、４２…上位システム、５０…バーコード、５２…バーコードリーダー。
【図１】
2005017177.tif 000003
【図２】
2005017177.tif 000004
【図３】
2005017177.tif 000005
【図４】
2005017177.tif 000006
【図５】
2005017177.tif 000007
【図６】
2005017177.tif 000008
【図７】
2005017177.tif 000009
【図８】
2005017177.tif 000010
【図９】
2005017177.tif 000011
【図１０】
2005017177.tif 000012